(57)【特許請求の範囲】
【請求項１】
銃本体（１０）と、該銃本体（１０）内に設けられるコーキング剤押し出し装置（２０）と、引き金（３０）と、上記銃本体（１０）の前端に連結されるコーキングカートリッジホルダー（４０）とによって構成されるコーキングガンであって、
上記銃本体（１０）の下方に取っ手部（１１２）を形成し、上記コーキングカートリッジホルダー（４０）内にはコーキングカートリッジ（５０）がセットされ、上記コーキング剤押し出し装置（２０）は押し部材（２１）を備え、該押し部材（２１）の一端に連結される押し盤（２１１）は上記コーキングカートリッジホルダー（４０）内に進入するようになっており、上記銃本体（１０）は、上記押し部材（２１）を挿設する推進部材（２４）と位置限定部材（２６）をそれぞれ前側部分と後側部分に収容し、上記引き金（３０）は上記取っ手部（１１２）に枢設され、該引き金（３０）を引くことにより上記推進部材（２４）を前方に引っ張って上記押し部材（２１）を前方に押し出して、上記コーキングカートリッジ（５０）のコーキング剤を押し出し、同時に、上記位置限定部材（２６）は上記押し部材（２１）を保持して元の位置に戻ろうとするのを防ぎ、上記押し部材（２１）は可撓性板から成り、上記銃本体（１０）内部の上記位置限定部材（２６）の後方にはガイド車輪（１５）が回転自在に枢設され、上記位置限定部材（２６）を挿通した上記押し部材（２１）の後部は上記ガイド車輪（１５）に巻きつけられて、上記コーキングカートリッジホルダー（４０）の上側に延設され、該押し部材（２１）の他端は引き部材（２８）に連結され、
上記銃本体（１０）は、相互に組み合わされて円筒状のケースを形成する二つの断面が半円状の本体ケース（１１）と、該本体ケース（１１）の下側から前方に延伸する支持部（１１１）と、該支持部（１１１）から下方に延伸する取っ手部（１１２）から成り、上記銃本体（１０）内には、前側のガイド片（１３）、中間のガイド片（１３）および後側のガイド片（１３）が設けられ、各ガイド片（１３）には、上記押し部材（２１）を挿設する弧状ガイド孔（１３１）がそれぞれ形成されており、
上記コーキング剤押し出し装置（２０）は、上記前側のガイド片（１３）、上記中間のガイド片（１３）および上記後側のガイド片（１３）の各弧状ガイド孔（１３１）に挿設されると共に、断面が弧状を呈し可撓性を有する上記押し部材（２１）を備え、該押し部材（２１）を挟むと共に、上記中間のガイド片（１３）と上記後側のガイド片（１３）の間に配置される上部挟み片（２２）と下部挟み片（２３）を備え、上記押し部材（２１）は、上記中間のガイド片（１３）の弧状ガイド孔（１３１）を通って延び、また、該中間のガイド片（１３）の前方に配置される推進部材（２４）の上段の弧状穿孔（２４１）通って延び、更に上記銃本体（１０）の後端に配置された上記ガイド車輪（１５）に巻き付けられて、上記コーキングカートリッジホルダー（４０）の上側に挿設された後、二つのスライド溝（２８１）が設けられた引き部材（２８）に連結され、上記押し部材（２１）は、上記取っ手部（１１２）に枢設された上記引き金（３０）を引くことにより、前方に押し出される、
上記引き金（３０）は、上記取っ手部（１１２）の上段内部に枢設される上段を有し、該上段は、引き板（３１）の前端に枢設部材（３２）によって枢設され、該引き板（３１）は、上記取っ手部（１１２）内の支持部（１１１）の内側であって、上記前側のガイド片（１３）と上記中間のガイド片（１３）の下側に位置し、上記引き板（３１）の後端は、上記位置限定部材（２６）の下端と係合するように配置されており、また、上記引き板（３１）の後端には、上記推進部材（２４）の下端が挿設されて連動する引き孔（３１１）が形成され、
上記コーキングカートリッジホルダー（４０）は円弧状の壁板から成り、該円弧状の壁板の前端にはＣ型前フレーム（４１）を設け、該円弧状の壁板の後端には円フレーム（４２）を設け、該円フレーム（４２）は、これに設けられた連結孔（４２１）によって上記銃本体（１０）の前壁に連結され、上記円弧状の壁板の上側には、二つのホルダー溝（４３）が設けられ、
上記構成により、上記取っ手部（１１２）の上記引き金（３０）が引かれて、上記押し部材（２１）を前に押し出し、コーキング剤を押し出す操作を行い、上記位置限定部材（２６）は上記押し部材（２１）が後方に動くのを阻止し、上記引き金（３０）を放すと、上記位置限定部材（２６）が後方に押されて上記押し部材（２１）を解放し、上記引き部材（２８）により上記押し部材（２１）を後方に戻す、
ように構成したことを特徴とするコーキングガン。
【請求項２】
前記上部挟み片（２２）と下部挟み片（２３）は、上記押し部材（２１）と同じ弧状の断面形状を有して、上記推進部材（２４）の上段の同じ弧状の断面形状の弧状穿孔（２４１）通って延びる上記押し部材（２１）を確実に挟んで掴み、上記上部挟み片（２２）の上表面と上記下部挟み片（２３）の下表面には、それぞれ位置戻し部（２２１、２３１）が凸設され、上記前側のガイド片（１３）の後方に配設された戻しバネ（２５）により上記推進部材（２４）は後方へ押され、上記引き金（３０）が上記推進部材（２４）下方の上記引き板（３１）を前方に引くと、該推進部材（２４）の上部に形成された弧状ガイド孔（１３１）が傾斜して上記上部挟み片（２２）と上記下部挟み片（２３）は上下から圧力をかけられて、上記押し部材（２１）を確実に掴んで前方に押し出し、上記引き金（３０）を放すと、上記戻しバネ（２５）は上記推進部材（２４）を後方に傾斜させると同時に、上記上部挟み片（２２）と上記下部挟み片（２３）は上記押し部材（２１）を後方に戻す、
ように構成されることを特徴とする請求項１に記載のコーキングガン。
【請求項３】
前記押し部材（２１）が挿設される前記位置限定部材（２６）は、前記中間のガイド片（１３）と後側のガイド片（１３）の間に配置され、該位置限定部材（２６）の下端は該後側のガイド片（１３）下方の固定部材（１４１）に当接し、該位置限定部材（２６）の上段の弧状穿孔（２６１）は傾斜して、上記押し部材（２１）を確実に保持して、該押し部材（２１）が後方へ戻されないように保持する、
ように構成することを特徴とする請求項２に記載のコーキングガン。
【発明の詳細な説明】
【技術分野】
【０００１】
本発明は、押し部材が銃本体の外側に突出しスペースが長くなりすぎて施工が不便になるのを防ぐことができるコーキングガンに関する。
【背景技術】
【０００２】
２００７年５月１１日に認可された台湾特許第Ｍ３１１４８６号の「コーキングガンの押し出し緩衝構造」で開示されているように、その図１に示すような従来の技術であろうと、或いはその図２に示すような新しい技術であろうと、コーキングガンは、支持部と、押し部と、取っ手部とによって構成する。支持部には、コーキングカートリッジが取り付けられる前フレームが設けられ、支持部の前フレームの一側には押し部が設けられ、押し部の後フレームの内部には、押し片とバネと押し棒が設けられ、押し棒の一端は、前記支持部の前フレーム内に穿設されるとともに、押し盤が設けられ、押し棒の他端は、押し部の後フレームに穿設され、押し部の押し片、押し部のバネは押し部の外側に出る。取っ手部は、押し部の後フレーム下方に設けられ、引き金を引くことにより、押し棒がコーキングカートリッジを圧縮してコーキング剤を押しだす。
【０００３】
上述の構造において、前記の押し盤２２１に連結された押し棒２２の後端は、伸ばされて押し部４０の後端から突出し、かなりの長さになるため、かなりの材積を占めることになり、特に、新しいコーキングカートリッジに交換するとき、押し棒２２全体を押し部４０の後面まで戻すと、銃全体の長さは、ほぼ二つのコーキングカートリッジの長さになるため、非常に大きなスペースが必要になり、小さいスペースで施工する際に操作が不便であり、さらには使用不可能な場合もある。これが、従来技術の一つ目の欠点である。
【０００４】
また、長い材積空間を必要とするコーキングガンは、施工業者が携帯するのに不便であり、また収納するのにも不便である。これが、従来技術の二つ目の欠点である。
【先行技術文献】
【特許文献】
【０００５】
【特許文献１】台湾特許第Ｍ３１１４８６号明細書
【発明の概要】
【発明が解決しようとする課題】
【０００６】
そこで、本発明は、使用する際のコーキングガンの長さを縮小し、スペースが小さい場所でも素早く操作を行うことが可能なコーキングガンを提供することを目的とする。
【０００７】
また、本発明は、コーキングガンが占める材積を大幅に短縮することで、収納と携帯に便利な多数の効果をもつコーキングガンを提供することを目的とする。
【課題を解決するための手段】
【０００８】
上述の目的を達成するために、本発明によるコーキングガンは、銃本体と、コーキングカートリッジホルダーと、コーキング剤押し出し装置とによって構成する。銃本体は、対向する二つの半円状の本体ケースを組み合わせてなる。銃本体の下側は、前方と下方に延伸して支持部と取っ手部を形成し、支持部と取っ手部には、引き板と引き金が枢設され、前記引き板の後段には引き孔が設けられる。前記銃本体内には、三つのガイド片が設けられる。銃本体の上端後側にはガイド車輪が枢設され、銃本体の上端には、ガイド車輪に巻きつけられる押し部材を挿設するガイド溝が設けられる。コーキングカートリッジホルダーは、銃本体の前端に連結されるとともに、コーキングカートリッジが収容される。コーキングカートリッジホルダーには、断面が弧状を呈する長い可撓性板の押し部材が設けられ、押し部材の一端はコーキングカートリッジホルダー内の押し盤と連結され、他端は、銃本体内の三つのガイド片の上段の弧状ガイド孔に穿設されるとともに、推進部材と位置限定部材の上段の弧状穿孔に挿設され、さらにガイド車輪に巻きつけられた後、折り返されて前方に延伸し、ガイド溝からコーキングカートリッジホルダーの上側に出て引き部材に連結される。引き部材の底側の二つのスライド溝は、コーキングカートリッジホルダーの二つのガイド片にスライド可能に設けられる。前記位置限定部材は、引き板の末端と接触し、推進部材の下端は、引き板の後段の引き孔内に差し込まれて相互に連動する。
【図面の簡単な説明】
【０００９】
【図１】本発明を示した分解斜視図である。
【図２】本発明の引き金を放した後の構造を示した断面図である。
【図３】本発明を組み立てる前の状態を示した斜視図である。
【図４】本発明の組み立てた後の状態を示した斜視図である。
【図５】本発明のコーキング剤を押しだす操作を示した説明図である。
【図６】本発明の押し部材を後方に引っ張って戻す操作を示した説明図である。
【発明を実施するための形態】
【００１０】
図１と図２に示すように、本発明のコーキングガンは、銃本体１０と、銃本体１０内に設けられるコーキング剤押し出し装置２０と、引き金３０と、銃本体１０の前端に連結されるコーキングカートリッジホルダー４０とによって構成する。
【００１１】
銃本体１０は、対向する二つの半円状の本体ケース１１を互いに組み合わせて、円筒状のケースに形成される。銃本体１０内には、三つのガイド片１３が間隔をもって設けられる。各ガイド片１３の上段には、弧状ガイド孔１３１がそれぞれ対向するように貫設される。銃本体１０の上端後側内部にはガイド車輪１５が回転自在に枢設され、銃本体１０の上端には、ガイド車輪１５に巻きつけられる押し部材２１を挿設するガイド溝１６が設けられる。銃本体１０の下端は、前方と下方に延伸して支持部１１１と取っ手部１１２を形成し、二つの本体ケース１１には、複数の連結孔柱１１３が対向するように凸設され、二つの本体ケース１１の複数の連結孔柱１１３はねじ１１４で螺合される。
【００１２】
コーキング剤押し出し装置２０は、断面が弧状を呈する可撓性板である押し部材２１を備え、押し部材２１は各ガイド片１３の弧状ガイド孔１３１に挿通される。押し部材２１の一端には押し盤２１１が連結され、押し盤２１１はコーキングカートリッジホルダー４０内に進入するようになっている。押し部材２１と同じ断面が弧状を呈する上部挟み片２２と下部挟み片２３は、押し部材２１を挟むとともに、前側の二つのガイド片１３の各弧状ガイド孔１３１と、推進部材２４の上段の弧状穿孔２４１内に挿設される。上部挟み片２２の上表面と、下部挟み片２３の下表面には、それぞれ位置戻し部２２１、２３１が凸設される。前側のガイド片１３の後側には、推進部材２４に当接して推進部材２４を後方へ押す戻しバネ２５が設けられる。押し部材２１は、後側の二つのガイド片１３の間で、位置限定部材２６の上段の弧状穿孔２６１に挿設され、位置限定部材２６の下段は、後側のガイド片１３の下端の固定部材１４１に当接し、中間のガイド片１３の後側にはバネ２７が設けられ、バネ２７によって位置限定部材２６の上段は押されて位置限定部材２６は後方へ傾斜する。そして、その弧状穿孔２６１の角度が傾斜することにより、挿設された押し部材２１が前に押し出された後に緩んで元の位置に戻るのを防ぐことができる。また、押し部材２１の後段は、銃本体１０の後端のガイド車輪１５に巻き付けられた後、折り返されてコーキングカートリッジホルダー４０の上側に延設された後、押し部材２１の他端は、底側に二つのスライド溝２８１が設けられた引き部材２８に連結される。
【００１３】
引き金３０の上段は、取っ手部１１２の上段内部に枢設され、引き金３０の上端は、取っ手部１１２内の支持部１１１の下側に位置する引き板３１の前端と、枢設部材３２によって枢設される。引き板３１の後端は位置限定部材２６の下端に当接し、引き板３１の後段には引き孔３１１が設けられ、引き孔３１１には推進部材２４の下端が差し込まれて、相互に連動する。
【００１４】
コーキングカートリッジホルダー４０は、円弧状の壁板と、その前端に設けられたＣ型前フレーム４１とを連結してなるとともに、対向する開口を備えている。また、コーキングカートリッジホルダー４０の後端に設けられた円フレーム４２は、円フレーム４２に設けられた連結孔４２１によって銃本体１０の前壁に連結される。円弧状の壁板の上側には、両側にガイド片４３１が凸設されたホルダー溝４３が設けられ、ホルダー溝４３のガイド片４３１には、引き部材２８の底側の二つのスライド溝２８１が嵌めこまれる。
【００１５】
図３に示すように、押し部材２１の末端が、コーキングカートリッジホルダー４０の上側に連結された引き部材２８に接続され、引き部材２８の底側の二つのスライド溝２８１がコーキングカートリッジホルダー４０の上壁の二つのガイド片４３１にスライド可能に組み合わされた後、さらに、二つの本体ケース１１が相互に連結された後にねじ１１４で螺合されると、図４に示すようなコーキングガンが完成する。そして、コーキングカートリッジ５０をコーキングカートリッジホルダー４０内にセットすると、コーキング剤を押しだす操作を行うことができる。
【００１６】
図５に示すように、取っ手部１１２内に枢設された引き金３０を引くと、それと同時に引き板３１が引っ張られて前方にスライドし、その後段の引き孔３１１に連結された推進部材２４が前方に引っ張られて傾斜状を呈した時、図の部分拡大図に示すように、推進部材２４の上段の傾いた弧状穿孔２４１の偏角によって上下から圧力をかけられた上部挟み片２２と下部挟み片２３が押し部材２１を挟みこみ、押し部材２１を図の矢印が示すように前に押し出す。また、それと同時に、後側の二つのガイド片１３の間では、バネ２７によって、固定部材１４１の上側に当接した位置限定部材２６が後方に傾斜し、その弧状穿孔２６１の傾いた偏角により、挟みこまれた押し部材２１が、押し出し操作の過程で緩んで元の位置に戻ろうとするのを防ぐ作用が生じる。
【００１７】
図２に示すように、押し出し操作をした後に引き金３０を放すと、戻しバネ２５によって推進部材２４は後方に押され、さらに、その弧状穿孔２４１に引っかかった位置戻し部２２１、２３１によって上部挟み片２２、下部挟み片２３は後方へ戻される。この時、引き金３０をもう一度引くことで、コーキング剤の押し出しを再び行うことができる。そして、押し部材２１の前端に連結された押し盤２１１が最前端まで押されると、すなわちコーキング剤を使いきったとき、引き金３０を外に引っ張り、引き板３１を後退させると、引き板３１の後端の傾斜した位置限定部材２６の下端がまっすぐになり、押し部材２１は位置限定部材２６の上段の弧状穿孔２６１から解放され、その後、図６に示すように、引き部材２８を引くことにより押し部材２１を後ろに戻すことができ、コーキングカートリッジを交換できるようになる。
【００１８】
図２に示すように、本発明では、弧状断面の押し部材２１を、上部挟み片２２と下部挟み片２３で挟んで押し出すことにより、適度な強度で、コーキング剤を前に押し出すことができる。また、押し部材２１を、銃本体１０の後端のガイド車輪１５に巻き付けた後、折り返してコーキングカートリッジホルダー４０の上側に連結する構造により、銃本体１０の後端を長く延ばしすぎて材積が増えるのを防ぎ、小さなスペースで素早く施工を行うことができるとともに、収納や携帯に便利であり、多くの使用進歩性を達成することができる。
【符号の説明】
【００１９】
１０ 銃本体 
１１ 本体ケース 
１１１ 支持部 
１１２ 取っ手部
１１３ 連結孔柱 
１１４ ねじ 
１３、４３１ ガイド片
１３１ 弧状ガイド孔 
１４１ 固定部材 
１５ ガイド車輪 
１６ ガイド溝
２０ コーキング剤押し出し装置 
２１ 押し部材 
２１１ 押し盤 
２２ 上部挟み片
２２１、２３１ 位置戻し部 
２３ 下部挟み片 
２４ 推進部材
２４１、２６１ 弧状穿孔 
２５ 戻しバネ 
２６ 位置限定部材
２７ バネ 
２８ 引き部材 
２８１ スライド溝
３０ 引き金 
３１ 引き板 
３１１ 引き孔 
２ 枢設部材
４０ コーキングカートリッジホルダー 
４１ Ｃ型前フレーム 
４２ 円フレーム
４２１ 連結孔 
４３ ホルダー溝 
５０ コーキングカートリッジ
【図１】
0005354613.tif 000002
【図２】
0005354613.tif 000003
【図３】
0005354613.tif 000004
【図４】
0005354613.tif 000005
【図５】
0005354613.tif 000006
【図６】
0005354613.tif 000007